(57)【要約】【課題】ブラインドリベットの締結後において、膨径部側の被締結部材から延び出る部分を他の部品の取付けに利用できるブラインドリベットを提供する。【解決手段】ブラインドリベット１は、内側が空洞に形成され第１端部が開口し且つ反対側の第２端部が閉じた筒状のスリーブ２とスリーブの第１端部に一体に形成されてスリーブより大径のフランジ３とから成るリベット５と、スリーブの空洞に収容されてフランジから延び出るマンドレル７とを包含し、マンドレルには、スリーブ内において第２端部１３付近のスリーブ部分に係合する大径頭部９が一体に形成されている。スリーブ２は、第２端部１３の部分においてマンドレルを収容しない所定長さの非膨径部１４を有し、非膨径部１４の外周面には、部品係合用の周溝１５が形成されている。【選択図】          図２
2004340334.tif 000002
【特許請求の範囲】
【請求項１】
内側が空洞に形成され第１端部が開口し且つ反対側の第２端部が閉じた筒状のスリーブと該スリーブの前記第１端部に一体に形成されて該スリーブより大径のフランジとから成るリベットと、前記スリーブの空洞に収容されて前記フランジから延び出るマンドレルとを包含し、前記マンドレルには、前記スリーブ内において前記第２端部付近のスリーブ部分に係合する大径頭部が一体に形成され、前記フランジから延び出た前記マンドレル部分を該フランジから引抜くことによって前記頭部が前記第２端部側のスリーブ部分に膨径部を形成するように作用して前記フランジと前記膨径部との間に複数の被締結部材を挟持して相互に連結する、ブラインドリベットであって、
前記スリーブは、前記第２端部の部分において前記マンドレルを収容しない所定長さの非膨径部を有し、該非膨径部の外周面には、部品係合用の周溝、突起又は突条が形成されていることを特徴とするブラインドリベット。
【請求項２】
内側が空洞に形成されて第１端部及び反対側の第２端部の両端が開口した筒状のスリーブと該スリーブの前記第１端部に一体に形成されたスリーブより大径のフランジとから成るリベットと、前記スリーブの空洞に収容されて前記フランジから延び出るマンドレルとを包含し、前記マンドレルには、前記スリーブの前記第２端部から露出して該第２端部の端面に係合する大径頭部が一体に形成され、前記フランジから延び出た前記マンドレル部分を該フランジから引抜くことによって前記頭部が前記第２端部側のスリーブ部分に膨径部を形成するように作用して前記フランジと前記膨径部との間に複数の被締結部材を挟持して相互に連結する、ブラインドリベットであって、
前記マンドレルの頭部は、前記スリーブに対して前記第２端面から遠ざかる方向に所定長さ延び出るように形成され、該延び出た頭部部分の外周面には、部品係合用の周溝、突起又は突条が形成されていることを特徴とするブラインドリベット。
【請求項３】
内側が空洞に形成されて第１端部及び反対側の第２端部が開口した筒状のスリーブと該スリーブの前記第１端部に一体に形成されて該スリーブより大径のフランジとから成るリベットと、前記スリーブの空洞に収容されて前記フランジから延び出るマンドレルとを包含し、前記マンドレルには、前記スリーブの前記第２端部の端面に係合する大径頭部が一体に形成され、前記フランジから延び出た前記マンドレル部分を該フランジから引抜くことによって前記頭部が前記第２端部側のスリーブ部分に膨径部を形成するように作用して前記フランジと前記膨径部との間に複数の被締結部材を挟持して相互に連結する、ブラインドリベットであって、
前記スリーブには、前記第２端部に隣接する部分であって且つ前記膨径部が形成される部分から隔たった部分の外周面に、部品係合用の周溝、突起又は突条が形成されていることを特徴とするブラインドリベット。
【請求項４】
請求項１〜３のいずれか１項に記載のブラインドリベットにおいて、被締結部材への締結後、前記部品係合用周溝に、キャップの係合部が嵌合させられることを特徴とするブラインドリベット。
【発明の詳細な説明】
【０００１】
【発明の属する技術分野】
本発明は、複数の被締結部材、例えば、パネル等に他の部材を取付けるのに有用なブラインドリベットに関する。
【０００２】
【従来の技術】
ブラインドリベットは、パネル等の第１被締結部材を部品等の第２被締結部材に連結するブラインドリベットとして用いられ、大きなパネルに小さな部品を取付けるのに、パネル背面に手が届かなくてもパネルの片側から締結作業ができるという利点がある。ブラインドリベットは、中空のスリーブとスリーブの第１端部に一体に形成された大径フランジとから成るリベットと、スリーブの空洞に収容されてフランジから延び出るマンドレルとを包含する。締結工具等によって、フランジから延び出たマンドレル部分をフランジから引抜くことによってスリーブの第２端部側にあるマンドレル頭部がスリーブに膨径部を形成するように作用して、フランジと膨径部との間に第１被締結部材及び第２被締結部材を挟持して両被締結部材を相互に連結する。
【０００３】
特開昭４９−１１６４４９号公報（特許文献１）に記載のブラインドリベットは、内側が空洞に形成されて第１端部及び反対側の第２端部が開口した筒状のスリーブとその第１端部に一体に形成されてスリーブより大径のフランジとから成るリベットと、スリーブの空洞に収容されてフランジから延び出るマンドレルとを包含する。マンドレルには、スリーブの第２端部から露出して該第２端部の端面に係合する大径頭部が一体に形成されている。締結工具によって、フランジから延び出たマンドレル部分をフランジから引抜くことによって頭部が第２端部側のスリーブ部分に膨径部を形成するように作用してフランジと膨径部との間に複数の被締結部材を挟持して相互に連結する。
【０００４】
意匠登録３５１０１２号公報（特許文献２）に記載のブラインドリベットは、内側が空洞に形成され第１端部が開口し且つ反対側の第２端部が閉じた筒状のスリーブとその第１端部に一体に形成されて該スリーブより大径のフランジとから成るリベットと、スリーブの空洞に収容されてフランジから延び出るマンドレルとを包含し、マンドレルには、スリーブ内において第２端部付近のスリーブ部分に係合する大径頭部が一体に形成されている。締結工具によって、フランジから延び出たマンドレル部分をフランジから引抜くことによって頭部が第２端部側のスリーブ部分に膨径部を形成するように作用してフランジと膨径部との間に複数の被締結部材を挟持して相互に連結する。米国特許第３、４３８、３０１号明細書（特公昭４６−１５５６９号公報：特許文献３）にも、同様の構成のブラインドリベットが示されている。
【０００５】
実開平４−８７０１４号公報（特許文献４）に記載のブラインドリベットは、締結のとき、フランジと被締結部材との間にワッシャーを置いて一緒に締結してフランジと被締結部材との間に一定の隙間を形成しており、その隙間に合成樹脂製のキャップの端縁を係合しフランジをキャップで覆うようにしている。実開昭６２−１１５５１２号公報（特許文献５）に記載のブラインドリベットは、フランジと反対側のスリーブ端部すなわち第２端部に、半球形状のキャップの端縁を締結作業のときに膨径部と被締結部材の間に挟持するように構成され、スリーブの第２端部側部分がマンドレルの頭部ととともにキャップによって覆われるようになっている。
【０００６】
【特許文献１】
特開昭４９−１１６４４９号公報
【特許文献２】
意匠登録第３５１０１２号公報
【特許文献３】
米国特許第３，４３８，３０１号明細書（特公昭４６−１５５６９号公報）
【特許文献４】
実開平４−８７０１４号公報
【特許文献５】
実開昭６２−１１５５１２号公報
【０００７】
【発明が解決しようとする課題】
上記特許文献１〜３に記載のブラインドリベットは、複数の被締結部材を相互に連結する種々の基本形状のものを示している。これらの特許文献１〜３は、締結後においてフランジと反対側のスリーブの端部（第２端部）側から延びる部分である、膨径部側の被締結部材から延び出る部分を他の部品の取付けに利用することについて一切示唆していない。特許文献４（実開平４−８７０１４号公報）は、フランジ側の部分をキャップで覆うことを示しているが、膨径部側の被締結部材から延び出るスリーブ部分又はマンドレル頭部部分を他の部品の取付けに利用することについては示していない。更に、特許文献５（実開昭６２−１１５５１２号公報）は、締結作業のときに、膨径部と被締結部材の間にキャップを挟持して締結することを示すだけであり、締結後において膨径部側の被締結部材から延び出るスリーブ部分又はマンドレル頭部部分を他の部品の取付けに利用することについては示していない。
【０００８】
従って、本発明の目的は、ブラインドリベットの締結後において、膨径部側の被締結部材から延び出る部分を他の部品の取付けに利用できるブラインドリベットを提供することにある。
【０００９】
【課題を解決するための手段】
本発明の１実施形態のブラインドリベットは、内側が空洞に形成され第１端部が開口し且つ反対側の第２端部が閉じた筒状のスリーブとスリーブの第１端部に一体に形成されてスリーブより大径のフランジとから成るリベットと、スリーブの空洞に収容されてフランジから延び出るマンドレルとを包含し、マンドレルには、スリーブ内において前記第２端部付近のスリーブ部分に係合する大径頭部が一体に形成され、フランジから延び出たマンドレル部分をフランジから引抜くことによって頭部が第２端部側のスリーブ部分に膨径部を形成するように作用してフランジと膨径部との間に複数の被締結部材を挟持して相互に連結するものであって、スリーブは、第２端部の部分においてマンドレルを収容しない所定長さの非膨径部を有し、非膨径部の外周面には、部品係合用の周溝、突起又は突条が形成されていることを特徴とする。
【００１０】
本発明の別の実施形態のブラインドリベットは、内側が空洞に形成されて第１端部及び反対側の第２端部が開口した筒状のスリーブとスリーブの第１端部に一体に形成されてスリーブより大径のフランジとから成るリベットと、スリーブの空洞に収容されてフランジから延び出るマンドレルとを包含し、マンドレルにはスリーブの第２端部から露出して第２端部の端面に係合する大径頭部が一体に形成され、フランジから延び出たマンドレル部分をフランジから引抜くことによって頭部が第２端部側のスリーブ部分に膨径部を形成するように作用してフランジと膨径部との間に複数の被締結部材を挟持して相互に連結するもでのであって、マンドレルの頭部は、スリーブに対して第２端面から遠ざかる方向に所定長さ延び出るように形成され、その頭部の外周面には、部品係合用の周溝、突起又は突条が形成されていることを特徴とする。
【００１１】
本発明の更に別の実施形態のブラインドリベットは、内側が空洞に形成されて第１端部及び反対側の第２端部が開口した筒状のスリーブとスリーブの第１端部に一体に形成されてスリーブより大径のフランジとから成るリベットと、スリーブの空洞に収容されてフランジから延び出るマンドレルとを包含し、マンドレルには、スリーブの第２端部の端面に係合する大径頭部が一体に形成され、フランジから延び出たマンドレル部分をフランジから引抜くことによって頭部が第２端部側のスリーブ部分に膨径部を形成するように作用してフランジと膨径部との間に複数の被締結部材を挟持して相互に連結するものであって、スリーブには、第２端部に隣接する部分であって且つ前記膨径部が形成される部分から隔たった部分の外周面に、部品係合用の周溝、突起又は突条が形成されていることを特徴とする。
【００１２】
上記のブラインドリベットの部品係合用の周溝、突起又は突条は、ブラインドリベットの締結後において、膨径部側の被締結部材から延び出るスリーブ部分又はマンドレル頭部部分に形成されるので、被締結部材に部品取付け用の部品を別に取付ける必要が無くなるとともに、部品取付け用部品のためのスペースも不要になる。
【００１３】
上記ブラインドリベットにおいて、部品係合用周溝には、キャップの係合部を嵌合させることができる。このキャップによって、膨径部を覆うことができるので、その部分の意匠上の外観を向上できる。
【００１４】
【発明の実施の形態】
以下、本発明の実施形態について、図面を参照しながら説明する。図１〜図３には、本発明の第１の実施形態に係るブラインドリベット１が示されている。図１は部品係合用の周溝が形成される前のブラインドリベット１を示し、図２は部品係合用の周溝が形成されたブラインドリベット１を示している。ブラインドリベット１は、内側に空洞６が形成されて第１端部（図１、２の右側端部）が開口し且つ反対側の第２端部１３（図１、２の左側端部）が閉じた筒状のスリーブ２とスリーブ２の第１端部に一体に形成されてスリーブより大径のフランジ３とから成るリベット５と、スリーブ２の空洞６に収容されてフランジ２から延び出るマンドレル７とを包含する。スリーブ２及びフランジ３で成るリベット５と、マンドレル７とはそれぞれ金属で形成される。通常、マンドレル７の引抜きによってリベット５のスリーブ２の一部が膨径するように変形するのが容易なように、リベット５はアルミニウム等の軟質の金属で、マンドレル７はスチール等の硬質の金属で形成される。
【００１５】
マンドレル７には、スリーブ２内において第２端部付近のスリーブ部分に係合する大径頭部９が一体に形成されている。更に、マンドレル７には、スリーブ２内においてマンドレル７を強く引抜いた場合に破断する小径の破断可能部分１０が形成されている。図示のマンドレル７では、大径頭部９の隣接して破断可能部分１０が形成されている。破断可能部分１０は、図示の位置以外の他の位置にあってもよい。破断可能部分１０の直径は、スリーブ２の膨径部の形成すなわち締結力に合わせて定められる。また、スリーブ２の空洞６の形状は、大径頭部９に係合する肩１１を形成する形状に形成される。図１及び図２に図示のように、空洞６は大径頭部９及び破断可能部分１０の直径に合わせた内径を有する形状に成形されるのが好ましい。
【００１６】
図１に図示のように、スリーブ２は、第２端部１３の側の部分においてマンドレル７を収容しない所定長さの非膨径部１４を有する。非膨径部１４には、図２に図示のように、外周面に沿って部品係合用の周溝１５が形成される。非膨径部１４の長さは、少なくとも周溝１５の形成を確保する長さにされ、更に、取付ける部品の係合部に合わせて選定されるのが好ましい。周溝１５に代えて、部品に係合してその部品を保持できる突起又は突条が形成されてもよい。
【００１７】
かかるブラインドリベット１を用いて、複数の被締結部材１７〜１９を相互に連結した様子が図３に示されている。第１被締結部材１７、第２被締結部材１８及び第３被締結部材１９を相互に連結するには、先ず、図２のブラインドリベット１のスリーブ２の第２端部１３を先頭にして被締結部材１７〜１９の取付穴にフランジ３が接面するまでスリーブ２を挿入する。その状態でマンドレル７のフランジ３から延び出た部分を、例えば、締結工具（図示せず）の先端のジョーに把持させ、マンドレル７を破断可能部分１０で破断する程に強く引抜く。これにより、マンドレル７の大径頭部９がスリーブ２の第２端部１３の側の一部が半径方向外方に膨径するように変形させられる。マンドレル７が破断可能部分１０で破断されて破断マンドレル部分がリベット５から分離すると、スリーブ２の第２端部１３側の部分には膨径部２１が第１被締結部材１７に当接するように形成される。この膨径部２１とフランジ３とにより、第１被締結部材１７、第２被締結部材１８及び第３被締結部材１９が堅く挟持されて、被締結部材１７〜１９が相互に堅く連結される。
【００１８】
ブラインドリベット１は、膨径部２１とフランジ３とによって被締結部材１７〜１９に堅く締結されているので、スリーブ２の第２端部１３に隣接して形成された非膨径部１４は、第１被締結部材１７から一定長さ突出する。非膨径部１４には部品係合用周溝１５が形成されており、この周溝１５を利用して、種々の部品を取付けることができる。図３に示した部品は、プラスチック製キャップ２２であり、キャップ２２に形成された係合部２３が周溝１５に嵌合して、キャップ２２がブラインドリベット１のスリーブ２に取付けられる。これにより、膨径部２１を含むスリーブ２の部分を覆うことができるので、その部分の意匠上の外観を向上できる。なお、キャップ２２はプラスチック以外の材料のものであってもよい。更に、取付ける部品はキャップ以外であってもよく、任意に選定できる。このように、非膨径部１４に部品係合用の周溝１５が形成されるので、被締結部材に部品取付け用の部品を別に取付ける必要が無くなるとともに、部品取付け用部品のためのスペースも不要になる。また、非膨径部１４に、周溝１５に代えて突起又は突条が設けられる場合にも、キャップ又は他の部品を係合保持することができる。
【００１９】
図４〜図６には、本発明の第２の実施形態に係るブラインドリベット２５が示されている。ブラインドリベット２５は、内側に空洞２６が形成されて第１端部（図４の右側の端部）及び反対側の第２端部（図４の左側の端部）の両端が開口した筒状のスリーブ２７とスリーブ２７の第１端部に一体に形成されたスリーブより大径のフランジ２９とから成るリベット３０と、スリーブ２７の空洞２６に収容されてフランジ２９から延び出るマンドレル３１とを包含する。ブラインドリベット１と同様に、リベット３０とマンドレル３１とは、それぞれ、軟質の金属と硬質の金属で形成される。
【００２０】
マンドレル３１には、スリーブ２７の第２端部から露出して端面３３に係合する大径頭部３４が一体に形成されている。マンドレル３１には、スリーブ２７内においてマンドレル３１を強く引抜いた場合に破断する小径の破断可能部分３５が形成されている。スリーブ２７の外面は、スリーブ２７の膨径部の位置を適正にし、膨径部の外径を大きくするように、図４に図示のように、異なる外径部分を有するように形成されるのが好ましい。
【００２１】
スリーブ２７の第２端部から露出したマンドレル３１の大径頭部３４は、スリーブ２７に対して第２端面３３から遠ざかる方向に所定長さ延び出るように形成されている。この延び出た大径頭部３４の部分の外周面には、部品係合用の周溝３７が形成されている。大径頭部３４の長さは、周溝３７の形成を確保する長さにされ、更に、取付ける部品の係合部に合わせて選定される。なお、周溝３７に代えて、部品に係合しその部品を保持できる突起又は突条が形成されてもよい。
【００２２】
かかるブラインドリベット２５を用いて、複数の被締結部材３８、３９を相互に連結した様子が図５に示されている。図４のブラインドリベット２５のマンドレル３１の大径頭部３４を先頭にして被締結部材３８、３９の取付穴にフランジ２９が接面するまでスリーブ２７を挿入する。その状態でマンドレル３１のフランジ２９から延び出た部分を、締結工具の先端のジョーに把持させ、マンドレル３１をフランジ２９から強く引抜いて破断可能部分３５で破断してマンドレル先端側を分離する。この強い引抜き力により、マンドレル３１の大径頭部３４がスリーブ２７の第２端部の側の一部が半径方向外方に膨径するように変形させられて、膨径部４１が第１被締結部材３８に当接するように形成される。この膨径部４１とフランジ２９とにより、第１被締結部材３８及び第２被締結部材３９が堅く挟持されて、被締結部材３８、３９が相互に連結される。ブラインドリベット２５は、膨径部４１とフランジ２９とによって被締結部材３８、３９に堅く締結されるので、マンドレル３１の大径頭部３４は、第１被締結部材３８から一定長さ突出する。大径頭部３４には部品係合用周溝３７が形成されているので、その周溝３７を利用して、種々の部品を取付けることができる。
【００２３】
図６は、大径頭部３４の部品係合用周溝３７に、プラスチック製キャップ４２を取付けた様子を示す。キャップ４２に形成された係合部４３が周溝３７に嵌合して、キャップ４２がブラインドリベット２５のマンドレル３１の大径頭部３４に取付けられる。これにより、大径頭部３４及び膨径部４１を含むスリーブ２７の部分を覆うことができ、その部分の意匠上の外観を向上できる。なお、取付ける部品はキャップ以外であってもよい。また、周溝３７に代えて突起又は突条が設けられる場合にも、キャップ又は他の部品を係合保持することができる。
【００２４】
図７〜図９には、本発明の第３の実施形態に係るブラインドリベット４５が示されている。ブラインドリベット４５は、内側に空洞が形成されて第１端部（図７の右側の端部）及び反対側の第２端部（図７の左側の端部）の両端が開口した筒状のスリーブ４６とスリーブ４６の第１端部に一体に形成されたスリーブより大径のフランジ４７とから成るリベット４９と、スリーブ４６の空洞に収容されてフランジ４７から延び出るマンドレル５０とを包含する。ブラインドリベット１と同様に、リベット４９とマンドレル５０とは、それぞれ、軟質の金属と硬質の金属で形成される。マンドレル５０には、スリーブ４６の第２端部から露出してその端面に係合する大径頭部５１が一体に形成されている。マンドレル５０には、スリーブ４６内においてマンドレル５０を強く引抜いた場合に破断する小径の破断可能部分５３が形成されている。
【００２５】
スリーブ４６には、第２端部５４に隣接する部分であって且つ膨径部が形成される部分（破断可能部分５３の付近の部分）から隔たった部分の外周面に、部品係合用の周溝５５が形成されている。なお、周溝５５に代えて、部品に係合しその部品を保持できる突起又は突条が形成されてもよい。
【００２６】
かかるブラインドリベット４５を用いて、複数の被締結部材３８、３９を相互に連結した様子が図８に示されている。ブラインドリベット４５の大径頭部５１を先頭にして被締結部材３８、３９の取付穴にフランジ４７が接面するまでスリーブ４６を挿入する。次に、マンドレル５０のフランジ４７から延び出た部分を締結工具に把持させ、マンドレル５０をフランジ４７から強く引抜いて破断可能部分５３で破断してマンドレル先端側を分離する。この強い引抜き力により、マンドレル５０の大径頭部５１がスリーブ４６の一部（破断可能部分５３付近の部分）が半径方向外方に膨径するように変形させられて、膨径部５７が第１被締結部材３８に当接するように形成される。膨径部５７とフランジ４７とにより、第１被締結部材３８及び第２被締結部材３９が挟持されて、被締結部材３８、３９が相互に連結される。ブラインドリベット４５は、膨径部５７とフランジ４７とによって被締結部材３８、３９に堅く締結されるので、大径頭部５１及びスリーブ４６の第２端部側の非膨径部分が、第１被締結部材３８から突出する。スリーブ４６の第２端部側の非膨径部分には部品係合用周溝５５が形成されており、その周溝５５を利用して、種々の部品を取付けることができる。
【００２７】
図９は、スリーブ４６の非膨径部分の部品係合用周溝５５に、プラスチック製キャップ４２を取付けた様子を示す。キャップ４２に形成された係合部４３が周溝５５に嵌合して、キャップ４２がブラインドリベット４５のスリーブ４６に取付けられる。これにより、大径頭部５１及び膨径部５７を含むスリーブ４６の部分を覆うことができ、その部分の意匠上の外観を向上できる。なお、この場合にも取付ける部品はキャップ以外であってもよい。また、周溝５５に代えて突起又は突条が設けられる場合にも、キャップ又は他の部品を係合保持することができる。
【００２８】
【発明の効果】
本発明のブラインドリベットによれば、部品係合用の周溝がブラインドリベットの締結後において膨径部側の被締結部材から延び出るスリーブ部分又はマンドレル頭部部分に形成されるので、被締結部材に部品取付け用の部品を別に取付ける必要が無くなるとともに、部品取付け用部品のためのスペースも不要になる。
【図面の簡単な説明】
【図１】本発明の第１の実施形態に係るブラインドリベットの半断面正面図である。
【図２】周溝がスリーブに形成された図１のブラインドリベットの半断面正面図である。
【図３】図２のブラインドリベットを被締結部材に締結した後、部品としてプラスチック製キャップを取付けたブラインドリベットを示す断面図である。
【図４】本発明の第２の実施形態に係るブラインドリベットの半断面正面図である。
【図５】図４のブラインドリベットを被締結部材に締結した後の状態を示す断面図である。
【図６】図５のブラインドリベットに、部品としてプラスチック製キャップを取付けた様子を示す断面図である。
【図７】本発明の第３の実施形態に係るブラインドリベットの半断面正面図である。
【図８】図７のブラインドリベットを被締結部材に締結した後の状態を示す断面図である。
【図９】図８のブラインドリベットに、部品としてプラスチック製キャップを取付けた様子を示す断面図である。
【符号の説明】
１  第１実施形態のブラインドリベット
２  スリーブ
３  フランジ
５  リベット
６  空洞
７  マンドレル
９  大径頭部
１０  破断可能部分
１１  肩
１３  第２端部
１４  非膨径部
１５  周溝
１７、１８、１９  被締結部材
２１  膨径部
２２  プラスチック製キャップ
２３  係合部
２５  第２実施形態のブラインドリベット
２６  空洞
２７  スリーブ
２９  フランジ
３０  リベット
３１  マンドレル
３４  大径頭部
３５  破断可能部分
３７  周溝
３８、３９  被締結部材
４１  膨径部
４２  プラスチック製キャップ
４３  キャップの係合部
４５  第３実施形態のブラインドリベット
４６  スリーブ
４７  フランジ
４９  リベット
５０  マンドレル
５１  大径頭部
５３  破断可能部分
５５  周溝
５７  膨径部
【図１】
2004340334.tif 000003
【図２】
2004340334.tif 000004
【図３】
2004340334.tif 000005
【図４】
2004340334.tif 000006
【図５】
2004340334.tif 000007
【図６】
2004340334.tif 000008
【図７】
2004340334.tif 000009
【図８】
2004340334.tif 000010
【図９】
2004340334.tif 000011